(57)【要約】      （修正有）【課題】折り畳み易く、不作為な折り皴を防止可能な風呂敷を提供する。【解決手段】被包装物を包装する風呂敷Ｆにおいて、可撓性を有するシート状の風呂敷本体１と、風呂敷本体１に形成した折り目２１を有する複数のプリーツ部２とを具備し、風呂敷本体１を折り目２１に沿って折り畳み可能に構成している。【選択図】図１
0003139365.tif 000002
【実用新案登録請求の範囲】
【請求項１】
被包装物を包装する包装布において、
可撓性を有するシート状の包装布本体と、
当該包装布本体に形成した折り目を有する複数のプリーツ部とを具備し、
当該包装布本体を前記折り目に沿って折り畳み可能に構成していることを特徴とする包装布。
【請求項２】
前記包装布本体の隅に位置する第一隅部と、
当該第一隅部と対向する位置に設けた第二隅部とを具備し、
前記第一隅部と第二隅部とを結ぶ結び線に沿って前記折り目を設けていることを特徴とする請求項１記載の包装布。
【請求項３】
前記第一隅部及び第二隅部を避けた位置に前記折り目を設けていることを特徴とする請求項２記載の包装布。
【請求項４】
前記包装布本体を方形にすると共に、当該包装布本体の対角線に沿って前記折り目を設けていることを特徴とする請求項１乃至３記載の包装布。
【請求項５】
前記包装布本体を折り畳んだ折り畳み状態において表出する表出面に装飾を施していることを特徴とする請求項１乃至４記載の包装布。
【考案の詳細な説明】
【技術分野】
【０００１】
本考案は、被包装物を包装する風呂敷などの包装布に関するものである。
【背景技術】
【０００２】
従来、書類や贈り物などを包む際に風呂敷が利用されている。当該風呂敷は包装を容易とするために可撓性を有する柔らかい素材を用いている場合が多い。当該風呂敷を使っていない間は、任意の箇所で風呂敷を折り畳んで片付けておく。
（例えば、特許文献１を参照）。
【特許文献１】特開２００６−８９０７９号
【考案の開示】
【考案が解決しようとする課題】
【０００３】
しかし、上述の通り風呂敷は柔らかい素材で構成されているため、例えば、折り畳んだ状態で鞄の中などに入れておくと、持ち運んでいるうちに鞄の中で折り畳み状態が解けて乱雑になってしまうことがある。更には、整然と折り畳んでいない場合や折り畳み状態が解けてしまった場合には、意図せぬ箇所に折り皺ができてしまい使用する際に美観を損なうという不具合がある。
【課題を解決するための手段】
【０００４】
そこで、本考案は、被包装物を包装する包装布において、可撓性を有するシート状の包装布本体と、当該包装布本体に形成した折り目を有する複数のプリーツ部とを具備し、当該包装布本体を前記折り目に沿って折り畳み可能に構成していることを特徴とする。
【０００５】
これにより、予め定めた折り目にて折り畳むことができるため、折り畳み易くなると共に、意図しないところに見栄えの悪い皺ができることを防ぐことが可能となる。更には、折り目が付いているため、折り畳み状態を持続し易くなる。
【０００６】
また、前記包装布本体の隅に位置する第一隅部と、当該第一隅部と対向する位置に設けた第二隅部とを具備し、前記第一隅部と第二隅部とを結ぶ結び線に沿って前記折り目を設けることにより、包装した状態において前記折り目が縦方向に延びるよう表出させて、美しい包装を実現できる。
【０００７】
加えて、包装の際の結びを容易にするためには、前記第一隅部及び第二隅部を避けた位置に前記折り目を設けていることが望ましい。
【０００８】
具体的な実施態様としては、前記包装布本体を方形にすると共に、当該包装布本体の対角線に沿って前記折り目を設けることが考えられる。
【０００９】
また、前記包装布本体を折り畳んだ折り畳み状態において表出する表出面に装飾を施すことで、不使用時にも美しい美観を楽しむことができる風呂敷を提供することが可能となる。
【考案の効果】
【００１０】
予め定めた折り目にて折り畳むことができるため、折り畳み易くなると共に、意図しないところに見栄えの悪い皺ができることを防ぐことが可能となる。更には、折り目が付いているため、折り畳み状態を持続し易くなる。
【考案を実施するための最良の形態】
【００１１】
＜第一実施形態＞
【００１２】
本考案に係る包装布である風呂敷Ｆは、贈り物や書類などの被包装物を包装するためのものであり、当該風呂敷Ｆの折り畳みを容易にするために予めプリーツ加工を施している。図１は、風呂敷Ｆを広げた状態を示す斜視図であり、図３は、当該風呂敷Ｆを用いて瓶Ｂを包装した状態を示す斜視図である。
【００１３】
風呂敷Ｆは、図４に示すように、対角線に対して線対称な形状を成しており、可撓性を有するシート状の風呂敷本体１と、当該風呂敷本体１に形成した折り目２１を有する複数のプリーツ部２とを具備し、当該風呂敷本体１を前記折り目２１に沿って折り畳み可能に構成している。
【００１４】
以下、各構成について詳述する。
【００１５】
風呂敷本体１は、熱可塑性素材であるポリエステルの繊維糸で織った織物であり、縦横同寸（７４ｃｍ×７４ｃｍ）の方形を成している。
【００１６】
当該風呂敷本体１の四隅には、図４に示すように、被包装物を包む際に使用者が握持する第一隅部３ａ、第二隅部３ｂ、第三隅部３ｃ、第四隅部３ｄを設けており、対向する隅部同士を用いて結ぶことにより包装状態を維持できるようにしている。
【００１７】
本実施形態においては、第一対角線Ｔ１の両端に一対の第一隅部３ａと第二隅部３ｂを、前記第一対角線Ｔ１と直交する第二対角線Ｔ２の両端に一対の第三隅部３ｃと第四隅部３ｄを設けている。
【００１８】
第一隅部３ａは、前記風呂敷本体１の隅に位置しており、前記折り目２１の無い平坦面を有している。
【００１９】
前記第一隅部３ａと対向する位置に設けている第二隅部３ｂは、前記第一隅部３ａと線対称の形状を有している。当該第二隅部３ｂも前記第一隅部３ａと同様に前記折り目２１の無い平坦面を有している。被包装物を包む際には、第一隅部３ａと第二隅部３ｂとを引き寄せて結ぶことにより包装状態を維持できるようにしている。
【００２０】
第三隅部３ｃは、前記風呂敷本体１の隅に位置しており、前記折り目２１の無い平坦面を有している。
【００２１】
前記第三隅部３ｃと対向する位置に設けている第四隅部３ｄは、前記第三隅部３ｃと線対称の形状を有している。当該第四隅部３ｄも前記第三隅部３ｃと同様に前記折り目２１の無い平坦面を有している。被包装物を包む際には、第三隅部３ｃと第四隅部３ｄとを引き寄せて結ぶことにより包装状態を維持できるようにしている。
【００２２】
プリーツ部２は、図６に示すように、谷折りと山折りを交互に繰り返すように前記風呂敷本体１を折り目２１で折って形成している。平行な複数のプリーツ部２は、前記第三隅部３ｃ、第四隅部３ｄを除いて略同寸の幅寸法Ｗ（３ｃｍ）としている。図７、図８に示すように、複数のプリーツ部２を、前記折り目２１に沿って折ることにより風呂敷Ｆをプリーツ部２の幅寸法Ｗに折り畳むことができるように構成している。尚、各図面は簡略化して図示している。
【００２３】
プリーツ部２の折り目２１は、図４、図５に示すように、前記第一隅部３ａ及び第二隅部３ｂを避けた位置に、当該第一隅部３ａと第二隅部３ｂとを結ぶ結び線Ｍに沿って設けている。具体的には、谷折りと山折りを交互に繰り返す複数の折り目２１を前記結び線Ｍと平行となるように風呂敷本体１の端まで延ばしている。本実施形態においては、前記風呂敷本体１を方形としているため、当該風呂敷本体１の第一対角線Ｔ１に沿って当該折り目２１をつけている。
【００２４】
次に、前記風呂敷Ｆの製造方法について説明する。
【００２５】
まず、ポリエステル素材の布地から前記風呂敷本体１の寸法をレーザーカットにより切り取る。そして、切り取った風呂敷本体１にプリーツ加工を施すことにより前記プリーツ部２を形成する。プリーツ加工の方法は既存の方法のいずれを採用してもよい。例えば、折り目２１をつける位置にて折り畳み、熱と圧力をかけて折り目２１をつけた後に蒸気真空釜にて折り目２１を固定する方法が挙げられる。
【００２６】
具体的には、風呂敷本体１と同寸に切り取った２枚のクラフト紙に、風呂敷本体１につけたい折り目２１の位置がわかる印を予めつけておく。そして当該２枚のクラフト紙の間に切り取った風呂敷本体１を挟み込み、前記クラフト紙につけた折り目２１の印に沿ってクラフト紙と風呂敷本体１を折り畳む。折り畳んだ状態の風呂敷本体１に対して熱と圧力をかけて当該風呂敷本体１に折り目２１をつける。その後、折り目２１がついた状態で蒸気真空釜に風呂敷本体１を３０分ほどいれて真空状態にすることにより折り目２１を固定する。蒸気真空釜から取り出した風呂敷本体１は、冷却した後クラフト紙を取り除く。
【００２７】
＜第二実施形態＞
【００２８】
第二実施形態について、図９乃至図１１を参照して説明する。
【００２９】
第二実施形態における風呂敷１０Ｆは、図９に示すように、左右前後対称形状を成しており、可撓性を有するシート状の風呂敷本体１０１と、当該風呂敷本体１０１に形成した折り目１０２１を有する複数のプリーツ部１０２とを具備し、当該風呂敷本体１０１を前記折り目１０２１に沿って折り畳み可能に構成している。更には、図１０に示すように、前記風呂敷本体１０１を折り畳んだ折り畳み状態において表出する表出面１０１ａに装飾部１０４を設けている。
【００３０】
以下、各構成について詳述する。
【００３１】
風呂敷本体１０１は、熱可塑性素材であるポリエステルの繊維糸で織った織物であり、図９に示すように、縦横同寸（７４ｃｍ×７４ｃｍ）の方形を成している。
【００３２】
当該風呂敷本体１０１の四隅には、被包装物を包む際に使用者が握持する第一隅部１０３ａ、第二隅部１０３ｂ、第三隅部１０３ｃ、第四隅部１０３ｄを設けており、対向する隅部同士を用いて結ぶことにより包装状態を維持できるようにしている。
【００３３】
本実施形態においては、第一対角線１０Ｔ１の両端に一対の第一隅部１０３ａと第二隅部１０３ｂを、前記第一対角線１０Ｔ１と直交する第二対角線１０Ｔ２の両端に一対の第三隅部１０３ｃと第四隅部１０３ｄを設けている。
【００３４】
プリーツ部１０２は、谷折りと山折りを交互に繰り返すように前記風呂敷本体１０１を折って形成している。平行な複数のプリーツ部１０２は、略同寸の幅寸法１０Ｗ（３ｃｍ）としている。図１０、図１１に示すように、複数の当該プリーツ部１０２を、前記折り目１０２１に沿って折ることにより風呂敷１０Ｆをプリーツ部１０２の幅寸法１０Ｗに折り畳むことができるように構成している。尚、各図面は簡略化して図示している。
【００３５】
プリーツ部１０２の折り目１０２１は、図９に示すように、前記風呂敷本体１０１の一辺１０１Ａに沿って設けている。具体的には、谷折りと山折りを交互に繰り返す複数の折り目１０２１を風呂敷本体１の一辺１０１Ａと平行となるように風呂敷本体１０１の端まで延ばしている。
【００３６】
装飾部１０４は、前記風呂敷本体１０１を折り畳んだ折り畳み状態において表出する表出面１０１ａに装飾を施しているものであり、本実施形態においては、最端のプリーツ部１０２にレースを貼り付けることにより構成している。
【００３７】
以上の第一実施形態及び第二実施形態の構成とすることにより、風呂敷Ｆ、１０Ｆを予め定めた折り目２１、１０２１にて折り畳むことができるため、折り畳み易くなると共に、意図しないところに見栄えの悪い皺ができることを防ぐことが可能となる。更には、折り目２１、１０２１が付いているため、折り畳み状態を持続し易くなる。
【００３８】
また、前記風呂敷本体１の隅に位置する第一隅部３ａと、当該第一隅部３ａと対向する位置に設けた第二隅部３ｂとを具備し、前記第一隅部３ａと第二隅部３ｂとを結ぶ結び線Ｍに沿って前記折り目２１を設けることにより、包装した状態において前記折り目２１が縦方向に延びるよう表出させて、美しい包装を実現できる。
【００３９】
加えて、前記第一隅部３ａ及び第二隅部３ｂを避けた位置に前記折り目２１を設けていることで、包装の際に容易に結ぶことができる。
【００４０】
前記風呂敷本体１を方形にすると共に、当該風呂敷本体１の第一対角線Ｔ１に沿って前記折り目２１を設けることにより、折り目２１を簡易につけることができる。
【００４１】
また、前記風呂敷本体１０１を折り畳んだ折り畳み状態において表出する表出面１０１ａに装飾を施すことで、不使用時にも美しい美観を楽しむことができる風呂敷１０Ｆを提供することが可能となる。
【００４２】
なお、本考案は、以上に詳述した実施形態に限られるものではない。
【００４３】
例えば、上記実施形態における風呂敷本体１は方形を成していたが、図１２に示す風呂敷２０Ｆように、方形以外の形状であってもよい。
【００４４】
また、各プリーツ部２の幅寸法Ｗを同寸としているが、各プリーツ部２の幅が異なるように構成することも考えられる。
【００４５】
更に、上記実施形態では、図８に示すように、折り畳み状態において各プリーツ部２の両端が重合するように構成していたが、図１３に示すように、折り目３０２１を斜めに折ることによって各プリーツ部２の端をずらしてもよい。
【００４６】
加えて、装飾部１０４はレースに限らず刺繍や手書き等でも構わない。
【００４７】
また、風呂敷本体１の素材は、ポリエステルに限らず絹などの天然素材や他の素材でもよく、更には、織物に限らず不織布などを用いることも考えられる。加えて、形状安定剤を用いてプリーツ部２を安定させることも可能である。
【００４８】
更に、プリーツ部２の幅寸法Ｗや風呂敷本体１の寸法も上記実施形態に限られるものではなく、用途に応じて寸法を変えてもよい。
【００４９】
プリーツ加工の方法としては、切り取った風呂敷本体１に折り目２１の金型を圧接することによりプリーツ部２を形成することも考えられる。
【００５０】
その他、各部の具体的構成についても上記実施形態に限られるものではなく、本考案の趣旨を逸脱しない範囲で種々変形が可能である。
【図面の簡単な説明】
【００５１】
【図１】本考案の第一実施形態に係る風呂敷Ｆの斜視図。
【図２】同実施形態に係る風呂敷Ｆを用いて瓶Ｂを包装する工程を示す斜視図。
【図３】同実施形態に係る風呂敷Ｆを用いて瓶Ｂを包装した状態を示す斜視図。
【図４】同実施形態に係る風呂敷Ｆを伸ばした状態を示す平面図。
【図５】同実施形態に係る風呂敷Ｆを広げた状態を示す平面図。
【図６】同実施形態に係る風呂敷Ｆを広げた状態を示す正面図。
【図７】同実施形態に係る風呂敷Ｆを折り畳んだ状態を示す平面図。
【図８】同実施形態に係る風呂敷Ｆを折り畳んだ状態を示す拡大側面図。
【図９】本考案の第二実施形態に係る風呂敷１０Ｆを伸ばした状態を示す平面図。
【図１０】同実施形態に係る風呂敷１０Ｆを折り畳んだ状態を示す平面図。
【図１１】同実施形態に係る風呂敷１０Ｆを折り畳んだ状態を示す拡大側面図。
【図１２】本考案の他の実施形態に係る風呂敷２０Ｆを伸ばした状態を示す平面図。
【図１３】本考案の他の実施形態に係る風呂敷３０Ｆを折り畳んだ状態を示す拡大側面図。
【符号の説明】
【００５２】
Ｂ・・・被包装物（瓶）
Ｆ・・・包装布（風呂敷）
Ｍ・・・結び線
Ｔ１・・・第一対角線
Ｔ２・・・第二対角線
１・・・包装布本体（風呂敷本体）
２・・・プリーツ部
３ａ・・・隅部（第一隅部）
３ｂ・・・隅部（第二隅部）
３ｃ・・・隅部（第三隅部）
３ｄ・・・隅部（第四隅部）
１０Ｆ・・・包装布（風呂敷）
１０Ｔ１・・・第一対角線
１０Ｔ２・・・第二対角線
２０Ｆ・・・包装布（風呂敷）
２１・・・折り目
３０Ｆ・・・包装布（風呂敷）
１０１・・・包装布本体（風呂敷本体）
１０１ａ・・・表出面
１０２・・・プリーツ部
１０３ａ・・・隅部（第一隅部）
１０３ｂ・・・隅部（第二隅部）
１０３ｃ・・・隅部（第三隅部）
１０３ｄ・・・隅部（第四隅部）
１０４・・・装飾部
２０１・・・包装布本体（風呂敷本体）
２０２・・・プリーツ部
２０３ａ・・・隅部（第一隅部）
２０３ｂ・・・隅部（第二隅部）
２０３ｃ・・・隅部（第三隅部）
２０３ｄ・・・隅部（第四隅部）
３０１・・・包装布本体（風呂敷本体）
３０２・・・プリーツ部
３０３ａ・・・隅部（第一隅部）
３０３ｂ・・・隅部（第二隅部）
３０３ｃ・・・隅部（第三隅部）
３０３ｄ・・・隅部（第四隅部）
１０２１・・・折り目
２０２１・・・折り目
３０２１・・・折り目
【図１】
0003139365.tif 000003
【図２】
0003139365.tif 000004
【図３】
0003139365.tif 000005
【図４】
0003139365.tif 000006
【図５】
0003139365.tif 000007
【図６】
0003139365.tif 000008
【図７】
0003139365.tif 000009
【図８】
0003139365.tif 000010
【図９】
0003139365.tif 000011
【図１０】
0003139365.tif 000012
【図１１】
0003139365.tif 000013
【図１２】
0003139365.tif 000014
【図１３】
0003139365.tif 000015